(57)【要約】【課題】リーダユニットのアンテナから発生する交流磁界が金属製取付枠で妨げられる要因を解決して、ＩＣカードを極端にリーダユニットに接近させなくても、十分に読取動作が行えて、操作簡単なＩＣカード読取装置を提供する。【解決手段】アンテナ１が装備されたアンテナ面２を有して、ＩＣカードに記録されている情報を読み取り可能なリーダユニットＲＵと、アンテナ面２を外部に覗かせるための開口部６を有して、リーダユニットＲＵを収容するユニット収容体３と、リーダユニットＲＵをユニット収容体３に収容させて組付けるべく、開口部６の縁６ａを覆う状態に形成されてユニット収容体３に取付けられる金属製の取付枠７とから成るＩＣカード読取装置において、取付枠７が、不連続箇所Ｈを有した非ループ状の枠本体７Ａから構成される。【選択図】図１
2005078382.tif 000002
【特許請求の範囲】
【請求項１】
アンテナが装備されたアンテナ面を有して、ＩＣカードに記録されている情報を読み取り可能なリーダユニットと、
前記アンテナ面を外部に覗かせるための開口部を有して、前記リーダユニットを収容するユニット収容体と、
前記リーダユニットを前記ユニット収容体に収容させて組付けるべく、前記開口部の縁を覆う状態に形成されて前記ユニット収容体に取付けられる金属製の取付枠と、
から成るＩＣカード読取装置であって、
前記取付枠が、不連続箇所を有した非ループ状の枠本体から構成されているＩＣカード読取装置。
【請求項２】
請求項１において、
前記取付枠は、前記枠本体と、この枠本体における前記不連続箇所を連結して連続させる絶縁材と、から成るループ状のものに形成されているＩＣカード読取装置。
【請求項３】
請求項１又は２において、
前記ユニット収容体が金属製であり、前記取付枠を前記ユニット収容体に互いに電気的に絶縁状態で取付けるための絶縁取付手段が装備されているＩＣカード読取装置。
【請求項４】
アンテナが装備されたアンテナ面を有して、ＩＣカードに記録されている情報を読み取り可能なリーダユニットと、
前記アンテナ面を外部に覗かせるための開口部を有して、前記リーダユニットを収容するユニット収容体と、
前記リーダユニットを前記ユニット収容体に収容させて組付けるべく、前記開口部の縁を覆う状態に形成されて前記ユニット収容体に取付けられる金属製の取付枠と、
から成るＩＣカード読取装置であって、
前記リーダユニットが前記取付枠に組付けられた状態では、前記アンテナ面が前記取付枠について、前記ユニット収容体から遠ざかる位置に配設される構成にしているＩＣカード読取装置。
【請求項５】
アンテナが装備されたアンテナ面を有して、ＩＣカードに記録されている情報を読み取り可能なリーダユニットと、
前記アンテナ面を外部に覗かせるための開口部を有して、前記リーダユニットを収容するユニット収容体と、
前記リーダユニットを前記ユニット収容体に収容させて組付けるべく、前記開口部の縁を覆う状態に形成されて前記ユニット収容体に取付けられる金属製の取付枠と、
から成るＩＣカード読取装置であって、
前記リーダユニットの周壁を、フェライト磁性体又は導電性シートで覆った構造にしているＩＣカード読取装置。
【発明の詳細な説明】
【技術分野】
【０００１】
本発明は、リーダユニットとユニット収容体とから成るＩＣカード読取装置に関するものである。
【背景技術】
【０００２】
従来、この種のＩＣカード読取装置は、非接触ＩＣカードに記録された情報を読み取るリーダユニット（読み取りユニット）を備え、通過希望者の携行する非接触ＩＣ力―ドに記録された情報を近距離で読み取ることにより、通過可能な対象者か否かを判別し、別に用意された電気錠の開錠を行うなどの人出退管理の用途に使用されている。このような例としては、特許文献１において開示されたものが知られている。
【０００３】
ＩＣカード読取装置ＢのリーダユニットＲＵは、図１４、図１５に示すようにように、直方体を形成する六つの面のうちの一つにコイル状のアンテナ１０１が装備されたアンテナ面１０２を有したユニット本体１０４と、化粧板１０５とから成り、アンテナ面１０２が外向きとなる配置及び向きで、ユニット収容体（ユニット組み込みボックス）１０３に収容される。具体的には、ユニット収容体１０３は、略箱体の六つの面のうちの一面に開口部１０６を有しており、建物の玄関や廊下といった箇所の壁面（図示省略）に形成された取付用開口において、ユニット収容体１０３を、その開口部１０６が外向きとなる姿勢で、壁面内に埋設固定される。
【０００４】
ユ二ット収容体１０３には、その開口部１０６の縁１０６ａに、矩形環状の取付枠１０７［図１５（ｂ）参照］がボルトやビス（スクリュー）を用いて取付けられる。取付枠１０７は、ビス等を用いてユニット収容体１０３に、開口縁１０６ａを隠すように取付けられ、かつ、ＩＣカード読取装置Ｂとしての最前面に位置する化粧板１０５が固着されるようになっている。尚、リーダユニットＲＵは、図１５（ａ）に示すように、アンテナ面１０２と、回路部（コントロール基板）１０８と、アンテナ面１０２のアンテナ１０１と回路部１０８とを電気的に接続するアンテナケーブル１０９等が装備されている。
【０００５】
ＩＣカード読取装置Ｂの作動原理を簡単に説明すれば、次のようである。即ち、図１２、図１３に示すように、リーダユニットＲＵのアンテナ１０１、及び非接触ＩＣカードＫのアンテナ１１１は、共にループコイル状のアンテナが使用されており、通常は、リーダユニットＲＵのアンテナ１０１に交流電流を流して、空中に交流磁界ｍを発生させてある。従って、ＩＣカードＫをリーダユニットＲＵに近付けると、ＩＣカードＫのアンテナ１１１を交流磁界ｍが貫くことでアンテナ１１１に交流電圧が生じ、これを整流することにより、ＩＣカードＫ内のＩＣ１１２を動作させることができるのである。
【０００６】
リーダユニットＲＵのアンテナ１０１は、通常、平面状に構成され、その発生する交流磁界ｍの向きは、主としてアンテナ面１０２に対する垂直方向となる。従って、ＩＣカードＫをリーダユニットＲＵのアンテナ面１０２にほぼ平行に対向させるようにすれば、リーダユニットＲＵとＩＣカードＫとの間の通信が良好に行われる。
【０００７】
リーダユニットＲＵからＩＣカードＫヘのデータ伝送の原理は次のようである。即ち、リーダユニットＲＵからの交流磁界ｍを、送信するデータ列に従い振幅変調を行う。するとＩＣカードＫ内のアンテナ１１１で発生する電圧も振幅変調されるため、これを整流した直流電圧も変化する。これをＩＣカードＫ内のＩＣ１１２が復調することにより、リーダユニットＲＵからＩＣカードＫへのデータ伝送が行えるのである。
【０００８】
ＩＣカードＫからの返信の原理は次のようである。即ち、図１３に示すように、ＩＣカードＫ内のアンテナ１０１はリーダユニットＲＵからの交流磁界ｍを受けているので、ＩＣカードＫからの返信データ列に従い、ＩＣカードＫ内のアンテナ１１１に接続された負荷スイッチ１１３をＯＮ／ＦＦとすると、リーダユニットＲＵのアンテナ１０１とＩＣカードＫのアンテナ１１１は磁気結合している為に、ＩＣカードＫの負荷の変化をリーダユニットＲＵで電圧の変化として検知することができる。これを復調することでＩＣカードＫからの返信データをリーダユニットＲＵは受信している。
【０００９】
しかしながら、このような従来の非接触ＩＣカード読取装置においては、読取動作を確実に行わせるためには、ＩＣカードを極めてリーダユニットに近接させる必要があり、ＩＣカードのリーダユニットへの接近移動操作をやり直さねばならない等、操作が面倒になり易い傾向があった。この原因は、次のように推測される。
【００１０】
リーダユニットのアンテナから発生する磁束は、四角環状の取付枠によって区切られる閉空領域を経時的に大きさを変えて挿通するが、取付枠は、無線信号の送受を行うリーダユニットの外部に位置する金属製であるため、その取付枠に電磁誘導現象が誘起されて渦電流が生じ、それに起因して取付枠にループ電流（閉電流）が容易に流れて、そのループ電流によって逆磁束が生じてしまうようになる。要するに、強度十分に支持するための取付枠が金属製で閉ループ状のものであることにより、リーダユニットのアンテナから発生する磁束の進行を弱めたり、妨げたりするという具合に、悪影響を及ぼしていると考えられる。換言すれば、リーダユニットのアンテナ性能が劣化したようになり、通信特性上、特に、非接触ＩＣカードとの開の通信可能最大距離を、所定の間隔に確保できないおそれがあった。
【００１１】
また、建物が旧い等によって、ユニット収容体が金属製である場合には、金属製取付枠を流れるループ電流が、金属製のユニット収容体にも流れるとか、その逆に、ユニット収容体を流れるループ電流が取付枠にも流れることによって悪影響が増大されるという問題があった。加えて、ユニット収容体とリーダユニットのアンテナとの位置がずれていることから、アンテナから発生する磁束の側方成分（磁束がユニット収容体の側壁を横切る方向に作用する）により、弱いループ電流が生じ、取付枠の場合と同様に逆磁束による悪影響も若干生じるおそれがあると思われるので、強度・剛性で有利な金属製ユニット収容体を用いる場合も、アンテナ性能に悪影響を及ぼす点で、改善の余地が残されていた。
【００１２】
【特許文献１】特開平９−０１８３８１号公報
【発明の開示】
【発明が解決しようとする課題】
【００１３】
そこで、本発明は、金属製取付枠の存在に起因した前述の不都合、即ち、リーダユニットのアンテナから発生する交流磁界が妨げられることを解決し、ＩＣカードを極端にリーダユニットに接近させなくても、十分に読取動作が行えて、操作簡単なＩＣカード読取装置を提供することを目的とする。また、ユニット収容体が金属製である場合の上述した不都合を改善させる点も目的とする。
【課題を解決するための手段】
【００１４】
請求項１の構成は、アンテナが装備されたアンテナ面を有して、ＩＣカードに記録されている情報を読み取り可能なリーダユニットと、
前記アンテナ面を外部に覗かせるための開口部を有して、前記リーダユニットを収容するユニット収容体と、
前記リーダユニットを前記ユニット収容体に収容させて組付けるべく、前記開口部の縁を覆う状態に形成されて前記ユニット収容体に取付けられる金属製の取付枠と、
から成るＩＣカード読取装置において、
前記取付枠が、不連続箇所を有した非ループ状の枠本体から構成されていることを特徴とする。
【００１５】
請求項２の構成は、請求項１において、
前記取付枠は、前記枠本体と、この枠本体における前記不連続箇所を連結して連続させる絶縁材と、から成るループ状のものに形成されていることを特徴とする。
【００１６】
請求項３の構成は、請求項１又は２において、
前記ユニット収容体が金属製であり、前記取付枠を前記ユニット収容体に互いに電気的に絶縁状態で取付けるための絶縁取付手段が装備されていることを特徴とする。
【００１７】
請求項４の構成は、アンテナが装備されたアンテナ面を有して、ＩＣカードに記録されている情報を読み取り可能なリーダユニットと、
前記アンテナ面を外部に覗かせるための開口部を有して、前記リーダユニットを収容するユニット収容体と、
前記リーダユニットを前記ユニット収容体に収容させて組付けるべく、前記開口部の縁を覆う状態に形成されて前記ユニット収容体に取付けられる金属製の取付枠と、
から成るＩＣカード読取装置において、
前記リーダユニットが前記取付枠に組付けられた状態では、前記アンテナ面が前記取付枠について、前記ユニット収容体から遠ざかる位置に配設されていることを特徴とする。
【００１８】
請求項５の構成は、アンテナが装備されたアンテナ面を有して、ＩＣカードに記録されている情報を読み取り可能なリーダユニットと、
前記アンテナ面を外部に覗かせるための開口部を有して、前記リーダユニットを収容するユニット収容体と、
前記リーダユニットを前記ユニット収容体に収容させて組付けるべく、前記開口部の縁を覆う状態に形成されて前記ユニット収容体に取付けられる金属製の取付枠と、
から成るＩＣカード読取装置において、
前記リーダユニットの周壁を、フェライト磁性体又は導電性シートで覆った構造にしていることを特徴とする。
【発明の効果】
【００１９】
請求項１のＩＣカード読取装置においては、金属製の取付枠を不連続箇所を有した非ループ状に形成したので、取付枠に渦電流が発生しても、それに起因したループ電流（閉電流）の発生は抑止される。従って、取付枠を強度・剛性で有利な金属製としながら、リーダユニットのアンテナ面から放射される磁束が金属製の取付枠に発生する磁束の影響を受けずに済み、ひいては、ＩＣカード読取装置とＩＣ力―ドとの間の通信可能最大距離を、より長くして確保することが可能になる。例えば、枠本体に切欠部を形成すれば、簡単で経済的に取付枠の不連続箇所を構成することができる。尚、アンテナの形状としては、平面コイル状のものに形成するのが、場所を取らずに磁束密度を増す点でも好ましい形状である。
【００２０】
請求項２のＩＣカード読取装置においては、請求項１の構成に前記効果に加えて、取付枠の不連続箇所を絶縁材で連結して連続させたので、取付枠が不連続形状である場合に比べて、取付枠の強度を向上させることができ、化粧板の保持など、外力を受け易く耐久性が望まれる部品である取付枠として、さらに好適である。
【００２１】
請求項３のＩＣカード読取装置においては、請求項１又は２の構成によるいずれかの前記効果に加えて、次のような効果がある。即ち、金属製のユニット収容体と取付枠との接合部分に、これら両者を絶縁状態で連結する絶縁取付手段を介在させたので、ユニット収容体と取付枠とが電流経路となってループ電流を発生させることが防止されるので、ユニット収容体を強度・剛性で有利な金属製としながらも、ループ電流に起因して発生する磁束による悪影響を抑制できる。
【００２２】
その結果、リーダユニットのアンテナ面から放射される磁束が、金属製の取付枠に生じるループ電流に起因して発生する磁束の影響を受けずに済み、ひいては、ＩＣカード読取装置とＩＣカードとの間の通信可能最大距離を、より長くして確保することが可能になる。絶縁取付手段としては、例えば、ユニット収容体と取付枠間に介装される絶縁材製のワッシャと、このワッシャが介装されたユニット収容体と取付枠とを締付固定する絶縁材製のボルト又はビスという、簡単、容易で廉価なもので構成することができる。
【００２３】
請求項４のＩＣカード読取装置においては、アンテナ面を取付枠からユニット収容体に対して遠ざかる方向に離して設けているので、磁束（磁力）が距離の二乗に反比例して弱くなる特性から、取付枠に発生するループ電流を著しく少なくでき、例え、取付枠にループ電流が生じても、そのループ電流は十分に小さく、それによる無線障害などの悪影響を及ぼさずに済ませることができる。
【００２４】
請求項５のＩＣカード読取装置においては、リーダユニットを包囲する周壁面がフェライト磁性体で覆われているので、アンテナから放射された磁束は、フェライト磁性体に収束するので、リーダユニット内部への磁束の影響をなくすことができる。また、リーダユニットが外部磁界の影響を受けることもなく、リーダユニットから周囲に漏洩する漏れ磁束による悪影響（無線障害）を低減させることができる。したがって、リーダユニットの設置される環境が変化しても、その影響を少なくすることができて、安定した読取り性能を維持できるようになる。
【００２５】
また、リーダユニットの周囲を導電性シートで覆った構造のものでは、その部分で磁気シールドできるので、上記と同様の作用、効果がある。
【発明を実施するための最良の形態】
【００２６】
ＩＣカード読取装置Ａは、研究所、ビル、マンション等の建物における所定の壁面（例えば、玄関ロビーの壁や、各部屋への入口壁等）に備え付けられるものであり、図１〜図１１に示されるように、アンテナ１が装備されたアンテナ面２を有して、ＩＣカードＫに記録されている情報を読み取り可能なリーダユニットＲＵと、アンテナ面２を外部に覗かせるための開口部６を有して、リーダユニットＲＵを収容するユニット収容体３と、リーダユニットＲＵをユニット収容体３に収容させて組付けるべく、開口部６の縁６ａを覆う状態に形成されてユニット収容体３に取付けられる金属製の取付枠７と、から構成されている。この基本構造は、以下に示すＩＣカード読取装置Ａの種々の実施例において共通のものである。
【実施例１】
【００２７】
実施例１によるＩＣカード読取装置Ａは、図１、図２に示すように、建物の壁面（図示省略）に埋設支持されるユニット収容体３と、リーダユニットＲＵと、取付枠７とから構成されている。図１（ａ）は、組付けられた状態の、そして、図１（ｂ）は分解斜視図としてのＩＣカード読取装置Ａが示されている。
【００２８】
リーダユニットＲＵは、図１（ｂ）、図２（ａ）に示すように、ユニット本体４と合成樹脂製の化粧板５とから成り、ユニット本体４は、平面コイル状のアンテナ１が装備されたアンテナ面２と、回路部（コントロール基板）８と、アンテナ１と回路部８とを電気的に接続するアンテナケーブル９とを備えて構成されている。
【００２９】
ユニット収容体３は、前面を開口させた開口部６を有した箱状のものであり、開口部６にはフランジ状の縁６ａが形成されている。このユニット収容体３には、開口部６からユニット本体４を入れ込むことにより、リーダユニットＲＵが収容される。
【００３０】
取付枠７は、鋼板のプレス成形等による板金製（金属製）で、下向き開放の略Ｃ字形状のもの、即ち、不連続箇所Ｈを有した非ループ状の枠本体７Ａから構成されている。不連続箇所Ｈは、下枠部７ａの左右中央部分を、所定の幅で寸断させた寸断箇所（切欠部）で構成されている。左右の縦枠部７ｂ夫々の上下には、上下一対のボルト挿通用の通し孔７ｃが計８箇所に形成されており、ユニット収容体３の縁６ａのナット穴６ｂを用いることで、不連続箇所Ｈを有しながらも、取付枠７をユニット収容体３の前面に、強度十分にボルト止め固定できるように構成されているが、これらのボルト、ナットはいずれも絶縁部材で構成することが望ましい。
【００３１】
リーダユニットＲＵは、ユニット収容体３にボルト止めされた取付枠７に対して取付固定されている。即ち、ユニット本体４を、厚肉状の化粧板５の裏面側に形成された凹みに圧入的に挿入することでボルト等を用いることなく強固に一体化されてリーダユニットＲＵが形成されており（図１５の部分拡大図を参照）、取付枠７は、計８個のボルト（又はビス）を用いてユニット収容体３の縁６ａに締付固定される。
【００３２】
そして、取付枠７の左右端及び上端に折曲げ形成された計３箇所の折返し片７ｄの各内側面に丁度沿うように、化粧板５を嵌め込み、かつ、その下端部の左右に形成された挿通孔５ｂを通して、タッピングビス（図示省略）等を用いて取付枠７の下枠部７ａに取付固定する。このように、リーダユニットＲＵ、取付枠７、及びユニット収容体３を取付固定するのであり、この取付構造は、以下に述べる実施例２以降においても同じである。
【００３３】
以上の取付構造は一例であり、これには限定されない。例えば、先ず、ユニット本体４を、これが隙間なく収まる寸法に形成されたユニット収容体３に内嵌挿入し、次に、ユニット本体４の抜止めとして、取付枠７を縁６ａに螺具（ボルト、ビス、スクリュー等）を用いて取付ける。それから、化粧板５を取付枠７に嵌めいれ、かつ、挿通孔５ｂを用いて螺着させる、という構造でも良い。また、その他の構造でも良い。
【００３４】
この実施例１によるＩＣカード読取装置Ａでは、金属製の取付枠７が不連続箇所Ｈを有した非ループ状の枠本体７Ａから構成されているので、アンテナ１による交流磁界ｍ（図１２参照）が取付枠７を貫いても、従来の閉ループ状の場合のような取付枠７を流れるような電流は生じないようになると思われる。
【００３５】
このように、金属製の取付枠７を不連続形状に形成したので、取付枠７にループ電流を生じることが抑制又は解消され、従って、リーダユニットＲＵのアンテナ面２から放射される無線信号が金属製の取付枠７による逆起電力（逆磁束）の影響を受けずに済み、ひいては、非接触ＩＣカード読取装置Ａと非接触ＩＣ力―ドＫ（図１２参照）との間の通信可能最大距離を、より長くして確保することが可能になる。
【００３６】
つまり、リーダユニットＲＵのアンテナ１から発生される交流磁界が実質的に強くなって、ＩＣカードＫ（図１２参照）を化粧板５に近付ける間隔が、従来のものより遠くても読取動作可能になり、ＩＣカードをアンテナ面２に極めて正確に接近操作することや、接近操作をやり直すという面倒が解消され、ある程度近付ける簡単な操作で正確に読取動作できるという、使い勝手に優れる便利なＩＣカード読取装置を提供することができた。尚、これらの好ましい作用効果は、実際に種々の実験データから確認されている。
【実施例２】
【００３７】
実施例２によるＩＣカード読取装置Ａは、実施例１によるものにおける取付枠７が異なるのみであり、その他は同じである。即ち、図３（ａ）、（ｂ）に示すように、取付枠７は、実施例１で開示した前記枠本体７Ａと、この枠本体７Ａにおける不連続箇所Ｈを連結して連続させる絶縁材１０と、から成るループ状のものに形成されている。
【００３８】
この構成では、取付枠７の不連続箇所Ｈを絶縁材１０で裡めたので、余属製の取付枠７が不連続形状の場合に比べて、取付枠７の強度を確保でき、化粧板５の保持など、外力を受け易く耐久性が望まれる部品である取付枠７としては、実施例１によるＩＣカード読取装置Ａに比べて、さらに好適である。
【００３９】
つまり、寸断された左右の下枠部７ａを、プラスチック（合成樹脂）等による非導通の連結部材で成る絶縁材１０を介して（ボルト止め手段等を用いる）連結一体化してあり、取付枠７としての強度・剛性をより高めてある。従って、リーダユニットＲＵのユニット収容体３への取付強度を、実施例１の構成による場合に比べて、向上させることが可能となる利点がある。
【実施例３】
【００４０】
実施例３によるＩＣカード読取装置Ａは、図４、図５に示すように、実施例１又は２のＩＣカード読取装置Ａを基本としており、違いは、ユニット収容体３が金属製であり、取付枠７をユニット収容体３に互いに電気的に絶縁状態で取付けるための絶縁取付手段１１が装備されている点である。即ち、絶縁取付手段１１は、図５に示すように、ユニット収容体３と取付枠７との間に介装される絶縁材製のワッシャ１２と、このワッシャ１２が介装されたユニット収容体３と取付枠７とを締付固定する絶縁材製のボルト１３とから構成されている。
【００４１】
このように、絶縁取付手段１１を用いれば、旧い建築物等により、ユニット収容体３が金属製である場合でも、不連続箇所Ｈを有する非ループ状で金属製の取付枠７を、絶縁状態で強固に連結一体化できるので、金属製ユニット収容体３がアンテナ１による交流磁界ｍ（図１２参照）に及ぼす悪影響を回避可能となる。
【００４２】
つまり、金属製のユニット収容体３と取付枠７との接合部分に、これら両者３，７を絶縁状態で連結する絶縁取付手段１１を介在させたので、ユニット収容体３と取付枠７との相互の電流供給が断たれ、ループ電流の誘発を防止できる。従って、リーダユニットＲＵのアンテナ面２から放射される無線信号が金属製の取付枠７による逆起電力（逆磁束）の影響を受けずに済み、ひいては、非接触ＩＣカード読取装置Ａと非接触ＩＣカードＫ（図１２参照）との間の通信可能最大距離を、より長くして確保することが可能になる。
【実施例４】
【００４３】
実施例４によるＩＣカード読取装置Ａは、図６、図７に示すように、リーダユニットＲＵが取付枠７に組付けられた状態では、アンテナ面２が角環状の取付枠１７に対して、前側に（ユニット収容体３から遠ざかる方向に）離れるように構成されていることを特徴とする。即ち、化粧板５の厚み内において、ユニット収容体３側に開口する大きな凹部５ａを形成し、その凹部５ａにアンテナ面２が入り込む状態となるように、アンテナ面２が回路部８に対して大きく突出配備された構造のユニット本体４としてある。
【００４４】
リーダユニットＲＵのアンテナ面２を、取付枠１７よりもユニット収容体３から離れる位置（壁面前面側）に配置させたので、磁束（磁力）が距離の二乗に反比例して弱くなる特性から、取付枠１７に発生する渦電流によるループ電流を明確に少なくできることに加え、例え、取付枠１７にループ電流が生じても、そのループ電流による悪影響（逆磁束による無線障害）を、リーダユニットＲＵの磁束授受に及ぼさずに済ませることができる。
【００４５】
その結果、図７に示すように、側面視においてアンテナ面２が取付枠１７よりも前面側（ＩＣカードが接近操作される側）に間隔ｄでもって位置ずれするように構成すれば、アンテナ１に通電することによる交流磁界ｍ（図１２参照）のうちの、前側に出る成分には取付枠１７による悪影響は、殆ど及ばないようになる。その結果、実質的に磁界が強くなったことに相当し、ＩＣカードの読取に必要な最大距離が増して、接近操作が行い易くなったり、読取精度がより向上する等の効果が得られる。
【００４６】
尚、この実施例４によるＩＣカード読取装置Ａにおいて、取付枠１７を、図２（ｂ）に示すように不連続箇所Ｈを有した非ループ状の枠本体７Ａから構成すれば、それによる前述した作用効果（ＩＣカード読取装置とＩＣ力―ドとの通信可能最大距離を増大できること）がプラスされ、より優れたものとなる。
【実施例５】
【００４７】
実施例５によるＩＣカード読取装置Ａは、図８、図９に示すように、リーダユニットＲＵにおけるアンテナ面２に対して交差する位置関係となる側面に、この側面を覆う状態のフェライト磁性体２１が装備されたものである。フェライト磁性体２１は板状に形成されており、ユニット本体４の左右側壁、上壁、及び後壁の計四壁の外側に添着装備されている。
【００４８】
このように、リーダユニットＲＵの外面のうち、少なくとも側面（ユニット収容体３の底面に接する面、ではない面）が、フェライト磁性体２１で覆われるように沿わせて設けてあるから、リーダユニットＲＵの側面から漏洩する漏れ磁束による悪影響（無線障害）を低減させることができる。そのため、リーダユニットＲＵの設置される環境が変化しても、その影響を少なくすることができ、安定した読取り性能を維持できるようになる。
【００４９】
尚、この実施例５によるＩＣカード読取装置Ａにおいて、角環状の取付枠１７を、図２（ｂ）に示すように不連続箇所Ｈを有した非ループ状の枠本体７Ａから構成すれば、それによる前述した作用効果（ＩＣカード読取装置とＩＣ力―ドとの通信可能最大距離を増大できること）がプラスされ、より優れたものとなる。
【実施例６】
【００５０】
実施例６によるＩＣカード読取装置Ａは、図１０、図１１に示すように、リーダユニットにおける前記アンテナ面に対して交差する位置関係となる側面に、この側面を覆う状態の導電性シート３１が装備されたものである。導電性シート３１は板状に形成されており、ユニット本体４の左右側壁、上壁、及び後壁の計四壁の外側に添着装備されている。
【００５１】
このように、リーダユニットＲＵの外面のうち、少なくとも側面（ユニット収容体３の底面に接する面、ではない面）が、導電性シート３１で覆われるように沿わせて設けてあるから、リーダユニットＲＵの側面から漏洩する漏れ磁束による悪影響（無線障害）を低減させることができる。そのため、リーダユニットＲＵの設置される環境が変化しても、その影響を少なくすることができ、安定した読取り性能を維持できるようになる。特に、導電性シート３１を用いる場合には、フェライト磁性体２１よりも安価に済む利点がある。
【００５２】
尚、この実施例６によるＩＣカード読取装置Ａにおいて、角環状の取付枠１７を、図２（ｂ）に示すように不連続箇所Ｈを有した非ループ状の枠本体７Ａから構成すれば、それによる前述した作用効果（ＩＣカード読取装置とＩＣ力―ドとの通信可能最大距離を増大できること）がプラスされ、より優れたものとなる。
【００５３】
ところで、従来図である図１５において、リーダユニットＲＵとユニット収容体１０３との取付け（組付け）は、ユニット収容体１０３の端を屈曲させて成るフランジ部１０３ａの内側に固着された縁１０６ａに、取付枠１０７をボルト止めし、その取付枠１０７の折り返し片１０７ｄの内側面に沿うように、ユニット本体１０４が取付けられた化粧板１０５を嵌め入れ、その下端部に形成された左右一対の挿通孔１０５ｂ（図１４参照）を用いたビス止めにより行われる構造である。尚、ユニット本体１０４は、化粧板１０５の凹み１０５ｈに嵌め込むことで、これら両者１０４，１０５が一体化されてリーダユニットＲＵとなっている。
【００５４】
この構造は、実施例１〜６の場合も同じであり、例えば１０３→３、１０５ｂ→５ｂ、１０７ｄ→７ｄ，１７ｄというように、従来例の符号は、本発明における対応する箇所の符号に置き換えるものとする。
【図面の簡単な説明】
【００５５】
【図１】ＩＣカード読取装置を示し、（ａ）は組付状態、（ｂ）は分解斜視図である。（実施例１）
【図２】（ａ）は図１のＩＣカード読取装置の横断断面図、（ｂ）は取付枠の正面図である。（実施例１）
【図３】図１に示す取付枠の別構造を示し、（ａ）は正面図、（ｂ）は斜視図である。（実施例２）
【図４】ＩＣカード読取装置を示し、（ａ）は組付状態、（ｂ）は分解斜視図である。（実施例３）
【図５】図４のＩＣカード読取装置の横断断面図及び絶縁取付手段の構造図である（実施例３）
【図６】ＩＣカード読取装置を示し、（ａ）は組付状態、（ｂ）は分解斜視図である。（実施例４）
【図７】図６のＩＣカード読取装置の横断断面図である。（実施例４）
【図８】ＩＣカード読取装置を示し、（ａ）は組付状態、（ｂ）は分解斜視図である。（実施例５）
【図９】図８のＩＣカード読取装置の平面図である。（実施例５）
【図１０】ＩＣカード読取装置を示し、（ａ）は組付状態、（ｂ）は分解斜視図である。（実施例６）
【図１１】図１０のＩＣカード読取装置の横断断面図である。（実施例６）
【図１２】ＩＣカード読取装置の動作原理を示す模式図である。
【図１３】ＩＣカード返信動作のイメージを示すブロック図である。
【図１４】従来のＩＣカード読取装置を示し、（ａ）は組付状態、（ｂ）は分解斜視図である。
【図１５】（ａ）は図１４のＩＣカード読取装置の横断断面図、（ｂ）は従来の取付枠の正面図である。
【符号の説明】
【００５６】
１                  アンテナ
２                  アンテナ面
３，１０３          ユニット収容体
６                  開口部
６ａ                縁
７，１７，１０７    取付枠
７Ａ                枠本体
１０                絶縁材
１１                絶縁取付手段
Ａ                  ＩＣカード読取装置
Ｈ                  不連続箇所
Ｋ                  ＩＣカード
ＲＵ                リーダユニット
２１                フェライト磁性体
３１                導電性シート
【図１】
2005078382.tif 000003
【図２】
2005078382.tif 000004
【図３】
2005078382.tif 000005
【図４】
2005078382.tif 000006
【図５】
2005078382.tif 000007
【図６】
2005078382.tif 000008
【図７】
2005078382.tif 000009
【図８】
2005078382.tif 000010
【図９】
2005078382.tif 000011
【図１０】
2005078382.tif 000012
【図１１】
2005078382.tif 000013
【図１２】
2005078382.tif 000014
【図１３】
2005078382.tif 000015
【図１４】
2005078382.tif 000016
【図１５】
2005078382.tif 000017